(57)【要約】【課題】  作業者は、草刈作業中に刈払刃を含む被回動駆動側部が作業場所にある小石や缶等を跳ね飛ばすことを防止すると共に、ガイド部を地面に接触させて、ハンドルシャフトの先端部に設けられている刈払刃を左右に滑らかに揺動させて草刈作業ができるようにすること。【解決手段】  ハンドルシャフト１７の先端部に回転駆動される刈払刃９が回動自在に設けられた刈払機８において、刈払刃９の下面側にガイド部１０を取り付けている刈払機用ガイド部の取付構造であって、ガイド部１０は、刈払刃９が装着される回転軸１３に対して軸受１９を介して相対的に回動自在に設けられている。【選択図】      図１
2008182964.tif 000002
【特許請求の範囲】
【請求項１】
ハンドルシャフトの先端部に回転駆動される刈払刃が回動自在に設けられた刈払機において、前記刈払刃の下面側にガイド部を取り付けている刈払機用ガイド部の取付構造であって、
前記ガイド部が前記刈払刃に対して相対的に回動自在に設けられていることを特徴とする刈払機用ガイド部の取付構造。
【請求項２】
前記ガイド部は、前記刈払刃を含む被回動駆動側部よりも地面に向かう側に突出し、又は前記被回動駆動側部と同程度に地面に向かう側に突出する形状であることを特徴とする請求項１記載の刈払機用ガイド部の取付構造。
【請求項３】
前記ガイド部は、前記刈払刃の外周部に設けられている複数の切刃よりも中心方向の内側に配置されていることを特徴とする請求項１又は２記載の刈払機用ガイド部の取付構造。
【請求項４】
前記ガイド部の下面は、前記刈払刃の回転中心部から外周部に向かうに従って、前記刈払刃の下面に接近する形状であることを特徴とする請求項１乃至３のいずれかに記載の刈払機用ガイド部の取付構造。
【請求項５】
前記ガイド部下面の半径方向に沿う輪郭形状が、円弧状であることを特徴とする請求項４記載の刈払機用ガイド部の取付構造。
【請求項６】
前記ガイド部は、前記刈払刃が装着される回転軸に対して軸受を介して相対的に回動自在に設けられていることを特徴とする請求項１乃至５のいずれかに記載の刈払機用ガイド部の取付構造。
【請求項７】
前記回転軸は、この回転軸と結合する内側ケースを介して前記軸受の内側に装着され、前記内側ケースは、前記軸受の地面に向かう側の面を覆う被覆部を有することを特徴とする請求項６記載の刈払機用ガイド部の取付構造。
【請求項８】
前記刈払機は、前記ハンドルシャフトの先端部に固定して設けられている本体ケースと、この本体ケースの内側に回動自在に設けられ前記刈払刃が取り付けられる短管状の回転軸と、この回転軸の内孔に挿通され前記本体ケースに固定して設けられている取付部材とを備え、
前記取付部材に前記ガイド部が回動自在に設けられていることを特徴とする請求項１記載の刈払機用ガイド部の取付構造。
【請求項９】
請求項１乃至８のいずれかに記載の刈払機用ガイド部の取付構造を備えることを特徴とする刈払機。
【発明の詳細な説明】
【技術分野】
【０００１】
本発明は、ハンドルシャフトの先端部に刈払刃が回動自在に設けられた刈払機において、刈払刃の下面側にガイド部を取り付けている刈払機用ガイド部の取付構造、及びそれを備える刈払機に関する。
【背景技術】
【０００２】
刈払機の一例として、例えば図８に示すものがある（例えば、特許文献１参照。）。この刈払機１は、ハンドルシャフト（図示せず）の先端部に同図に示す刈払刃２が回動自在に設けられ、この刈払刃２はハンドルシャフトの基端部に取り付けられているエンジン（図示せず）によって回転駆動されるものである。そして、図８及び図９に示すように、この刈払刃２の下面側には、受刃３が配置されており、この受刃３は、固定部４を介してハンドルシャフトに固定して取り付けられている。刈払刃２がエンジンに駆動されて所定方向に高速回転すると、この刈払刃２の外周縁部２ａに設けられている切刃２ｂ、２ｂ、・・・と、受刃３の外周縁部３ａに設けられている切刃３ｂ、３ｂ、・・・との間に草や芝等を挟み込んで刈り取ることができる。
【０００３】
また、同各図に示すように、ハンドルシャフトに固定されて回転しない受刃３の外周縁部３ａは、回転される刈払刃２の外周縁部２ａよりも半径方向の外側にＫだけ突出しており、高速回転する刈払刃２を内側に収容しているので、草刈作業中に、この高速回転する刈払刃２の外周縁部２ａが、作業場所にある小石、缶、ビン等を跳ね飛ばすことを防止することができる。
【０００４】
更に、図９に示すように、受刃３の下面側に保持板５が配置されている。この保持板５は、刈払刃２と接合部材６で接合されているので、刈払刃２が回転すると、この刈払刃２と共に同方向に回転する。そして、保持板５は、ローラ７を介して受刃３を下面側から保持しており、これによって、刈払刃２と受刃３との隙間が所定の寸法となるように保持することができる。よって、刈払刃２と受刃３とで草等を確実に刈り取ることができる。
【特許文献１】特開２００２−１５３１１３号公報
【発明の開示】
【発明が解決しようとする課題】
【０００５】
しかし、図８及図９に示す従来の刈払機１では、受刃３は回転しないが、この受刃３の下面に配置されている保持板５が刈払刃２と共に高速回転するので、この高速回転する保持板５の外周縁部５ａや下面、及び下面に形成されている凸部５ｂが、作業場所にある小石、缶、ビン等を跳ね飛ばすことがある。また、この高速回転する保持板５が地面や石等に接触すると、衝撃や耳障りな接触音が発生するし、保持板５が損傷することもある。
【０００６】
なお、保持板５は、ローラ７を介して受刃３を保持するためのものであるので、ローラ７を保持板５の中心から半径方向の外側に離れた位置に設けることが好ましいが、このようにすると、保持板５の直径を大きくする必要があり、上記問題が更に大きくなる。
【０００７】
本発明は、上記のような課題を解決するためになされたものであり、例えば草刈作業中に刈払刃を含む被回動駆動側部が作業場所にある小石や缶等を跳ね飛ばすこと、及び地面や石等との接触による衝撃や耳障りな接触音が発生することを低減することができると共に、ガイド部を地面に接触させることによって、刈払刃を左右に滑らかに揺動させて草刈作業ができるようにする刈払機用ガイド部の取付構造及びそれを備える刈払機を提供することを目的としている。
【課題を解決するための手段】
【０００８】
本発明に係る刈払機用ガイド部の取付構造は、ハンドルシャフトの先端部に回転駆動される刈払刃が回動自在に設けられた刈払機において、前記刈払刃の下面側にガイド部を取り付けている刈払機用ガイド部の取付構造であって、前記ガイド部が前記刈払刃に対して相対的に回動自在に設けられていることを特徴とするものである。
【０００９】
この発明に係る刈払機用ガイド部の取付構造によると、刈払刃の下面側にガイド部が取り付けられ、このガイド部は、回転する刈払刃に対して回動自在に設けられているので、ガイド部を地面に接触させることができるようにすると、作業者は、ハンドルシャフトの先端部に設けられている刈払刃を左右に滑らかに揺動させて草刈作業ができる。つまり、ガイド部は、刈払機の重量を受け持つことによって、刈払機の重量が作業者に掛かることを低減することができる。そして、刈払機を左右に揺動させるときに、車輪のような役割を果たしてその揺動作業をし易くすることができる。
【００１０】
また、ガイド部は、地面に接触した状態では、刈払刃と共に回転駆動されないので、このガイド部によって、作業場所にある小石、缶、ビン等を跳ね飛ばすことがないし、ガイド部が地面や石等に接触しても、衝撃や耳障りな接触音が全く発生しない。
【００１１】
そして、前記ガイド部は、前記刈払刃を含む被回動駆動側部よりも地面に向かう側に突出し、又は前記被回動駆動側部と同程度に地面に向かう側に突出する形状とするとよい。このようにすると、草刈作業中において、ガイド部が地面や石、缶等と接触することがあっても、回転する刈払刃を含む被回動駆動側部が地面や石等と接触することを効果的に低減したり防止できる。
【００１２】
また、前記ガイド部は、前記刈払刃の外周部に設けられている複数の切刃よりも中心方向の内側に配置するとよい。このようにすると、ガイド部が刈払刃による草等の刈取りの妨げとならないようにすることができる。
【００１３】
更に、前記ガイド部の下面は、前記刈払刃の回転中心部から外周部に向かうに従って、前記刈払刃の下面に接近する形状とするとよい。このようにすると、ガイド部の下面は、外周部が中央部よりも刈払刃の下面に接近する形状であるので、ガイド部に邪魔されずに、刈払刃の切刃を地面に近づけることができ、比較的大きい刈込み量で草刈を行うことができる。そして、ガイド部の下面は、中央部が外周部よりも刈払刃の下面から遠ざかる形状であるので、ガイド部の下面中央部を地面に接触させることによって、刈払刃の切刃を地面から遠ざけることができ、切刃が地面に接触しないようにできる。
【００１４】
そして、前記ガイド部下面の半径方向に沿う輪郭形状を、円弧状とするとよい。このようにすると、例えばガイド部の下面を芝生に接触させて草刈作業をするときに、ガイド部の下面によって芝生等を痛めないように草刈作業をすることができる。
【００１５】
また、前記ガイド部は、前記刈払刃が装着される回転軸に対して軸受を介して相対的に回動自在に設けるとよい。このようすると、回転軸は、軸受を介してガイド部をしっかりと回動自在に保持できるので、ガイド部と刈払刃（被回動駆動側部）とを互いに接近させて設けることができて、両者が互いに接触することを確実に防止することができる。このように、ガイド部と刈払刃（被回動駆動側部）とを互いに接近して設けることによって、両者の隙間から刈り取られた草、砂、ゴミ等がガイド部内に進入することを防止できる。
【００１６】
更に、前記回転軸は、この回転軸と結合する内側ケースを介して前記軸受の内側に装着され、前記内側ケースは、前記軸受の地面に向かう側の面を覆う被覆部を有するものとするとよい。このようにすると、内側ケースの被覆部によって、軸受の地面に向かう側の面を覆っているので、軸受にゴミや砂等が進入することを防止でき、ゴミ等の進入による軸受の故障を防止できる。
【００１７】
そして、前記刈払機は、前記ハンドルシャフトの先端部に固定して設けられている本体ケースと、この本体ケースの内側に回動自在に設けられ前記刈払刃が取り付けられる短管状の回転軸と、この回転軸の内孔に挿通され前記本体ケースに固定して設けられている取付部材とを備え、前記取付部材に前記ガイド部が回動自在に設けられているものとすることができる。このように、ガイド部を、回転軸の内孔に挿通された取付部材に回動自在に設けるようにすると、ガイド部を回転軸よりも直径の大きい軸受を介して、この回転軸に対して回動自在に設ける場合と比較して、軸受の費用を低減することができる。
【００１８】
本発明に係る刈払機は、請求項１乃至８のいずれかに記載の刈払機用ガイド部の取付構造を備えることを特徴とするものである。
【００１９】
本発明に係る刈払機によると、刈払機用ガイド部の取付構造が上記と同様に作用するので、その説明を省略する。
【発明の効果】
【００２０】
この発明に係る刈払機用ガイド部の取付構造、及びそれを備える刈払機によると、刈払刃の下面側にガイド部を、刈払刃に対して相対的に回動自在に設けた構成としたので、例えば草刈作業中に刈払刃を含む被回動駆動側部が作業場所にある小石や缶等を跳ね飛ばすこと、及び地面や石等との接触による衝撃や耳障りな接触音が発生することを低減することができると共に、ガイド部を地面に接触させることによって、刈払刃を左右に滑らかに揺動させて草刈作業ができる。よって、草刈作業の労力の低減を図ることができる。
【発明を実施するための最良の形態】
【００２１】
以下、本発明に係る刈払機用ガイド部の取付構造、及びそれを備える刈払機の第１実施形態を図１〜図７を参照して説明する。この図１に示す刈払機８は、草刈作業をする作業者が携帯することができて、刈払刃９を例えばエンジン（回転駆動部）によって所定方向に高速回転させることができ、この高速回転する刈払刃９で草や芝等を刈り取ることができるものである。そして、この刈払機８の刈払刃９の下面側には、ガイド部１０が設けられている。このガイド部１０は、草刈作業中に刈払刃９を含む被回動駆動側部１１が作業場所にある小石や缶等を跳ね飛ばすことを防止すると共に、ガイド部１０を地面に接触させることによって、刈払刃９を左右に滑らかに揺動させて草刈作業ができるようにするためのものである。図１、図２及び図３は、刈払機８に設けられている刈払刃９及びガイド部１０を示す部分断面正面図、正面図及び平面図である。
【００２２】
刈払刃９は、図３の平面図に示すように、金属製の円板であり、この円板の外周縁部９ａに沿って複数の凸部９ｂと凹部９ｃとが交互に形成されており、各凸部９ｂ、・・・に超硬チップが切刃１２、・・・として設けられている。各切刃１２は、略台形に形成されている凸部９ｂの縁部の頂部に配置されている。勿論、超硬チップが設けられておらず、多数の切刃が形成された刈払刃を使用することができる。
【００２３】
この刈払刃９は、図１に示すように、中央に形成されている挿通孔９ｄに回転軸１３が挿通すると共に、挟持部材１４と、押付け部材５６及び内側ケース１５との間に挟み込まれ、これら挟持部材１４と、押付け部材５６及び内側ケース１５とによって締め付けられて回転軸１３に固定して取り付けられている。
【００２４】
図１に示す挟持部材１４は、円板状体であり、例えば中央に形成されている雌ねじ１４ａが回転軸１３に形成されている雄ねじに螺合することによって回転軸１３と結合している。内側ケース１５は、下向きの略カップ状体であり、中央に形成されている挿通孔に回転軸１３が挿通している。そして、回転軸１３の先端部にはボルト１６が螺合しており、このボルト１６の締付けによって、内側ケース１５を、押付け部材５６を介して刈払刃９及び挟持部材１４に押し付けて、刈払刃９を回転軸１３に固定して取り付けている。
【００２５】
この回転軸１３は、回転動力伝達部（図示せず）を介して回転駆動部（例えばエンジン）の出力回転軸と連結している。この回転動力伝達部は、回転駆動部の出力回転軸と連結する動力伝達軸を備えている。この動力伝達軸は、その端部に第１傘歯車が設けられており、この第１傘歯車には第２傘歯車が噛み合っている。この第２傘歯車は、回転軸１３の上端部に設けられている。なお、回転駆動部は、例えばハンドルシャフト１７の一端に設けられている。動力伝達軸は、ハンドルシャフト１７の内孔内に回動自在に軸受を介して設けられており、回転軸１３は、ギヤケース（本体ケース）１８内に回動自在に軸受を介して設けられている。
【００２６】
また、図１に示すように、内側ケース１５のには、略短円筒形の突起１５ａが形成されている。この突起１５ａは、外周面に軸受（例えばラジアル玉軸受）１９の内周面が装着されており、その内側には、ボルト１６の頭部が収容されている。そして、軸受１９の外周面には、ガイド部１０に形成されているボス部２０が装着されている。よってガイド部１０は、内側ケース（回転軸１３）１５に対して軸受１９を介して回動自在である。
【００２７】
このガイド部１０に形成されているボス部２０は、図１に示すように、軸受１９の外周面と当接する短円筒部２０ａを備えており、この短円筒部２０ａの上端内周縁には、内側に向かって突出する環状の係合突起２０ｂが設けられている。この係合突起２０ｂは、軸受１９の外輪の上端部に係合して、ボス部２０が軸受１９から下方に外れないようにするためのものである。なお、短円筒部２０ａの内周面には、穴用スナップリングが装着されており、突起１５ａの外周面には爪部が形成されている。これら穴用スナップリング、及び爪部等によって、内側ケース１５、軸受１９、及びボス部２０を一体に結合している。そして、短円筒部２０ａの下端外周縁には、外側に向かって延びる皿状のガイド本体部１０ａが形成されている。
【００２８】
このガイド部１０に形成されている皿状のガイド本体部１０ａは、図１及び図２に示すように、刈払刃９の外周部に設けられている複数の切刃１２、・・・よりも中心方向の内側に配置されている。つまり、ガイド部１０の直径は、刈払刃９の約６０％の大きさに形成されている。そして、ガイド本体部１０ａの下面は、回転中心のボス部２０から外周部に向かうに従って、刈払刃９の下面に接近する形状に形成されている。つまり、ガイド本体部１０ａの下面の半径方向に沿う輪郭形状が、円弧状となっている。なお。図４（ａ）、（ｂ）、（ｃ）は、ガイド部を示す平面図、中央縦断面図、底面図である。同図に示す１０ｃは、リブである。
【００２９】
要は、図１に示す刈払刃９、内側ケース１５、ボルト１６、押付け部材５６及び挟持部材１４は、回転軸１３と結合しており、回転軸１３と共に回転するので、被回動駆動側部１１として形成されている。そして、ガイド部１０は、ハンドルシャフト１７に対して切離されて回動自在に設けられ、かつ、この刈払刃９を含む被回動駆動側部１１に対して相対的に回動自在に設けられている。そして、このガイド部１０に形成されているガイド本体部１０ａの中央部下端（ボス部２０の下端）は、被回動駆動側部１１よりも地面に向かう側に突出して形成されている。このようにして、刈払機用ガイド部の取付構造が構成されている。
【００３０】
図１に示すように構成された刈払機８を使用して、草や芝等を刈り取るときは、ハンドルシャフト１７を介してこの刈払機８を身体に装着する。そして、回転駆動部（図示せず）を作動させて刈払刃９を高速回転させる。この高速回転する刈払刃９によって草や芝等を刈り取ることができる。
【００３１】
そして、図１に示す刈払機用ガイド部の取付構造によると、刈払刃９の下面側にガイド部１０が取り付けられ、このガイド部１０は、回転する刈払刃９に対しても回動自在に設けられているので、ガイド部１０を地面に接触させると、作業者は、ハンドルシャフト１７の先端部に設けられている刈払刃９を左右に滑らかに揺動させて草刈作業ができる。つまり、ガイド部１０は、刈払機８の重量を受け持つことによって、刈払機８の重量が作業者に掛かることを低減することができる。そして、刈払機８を左右に揺動させるときに、車輪のような役割を果たしてその揺動作業をし易くすることができる。よって、草刈作業の労力の低減を図ることができる。
【００３２】
また、ガイド部１０は、地面に接触した状態で、刈払刃９と共に回転駆動されないので、このガイド部１０によって、作業場所にある小石、缶、ビン等を跳ね飛ばすことがないし、ガイド部１０が地面や石等に接触しても、衝撃や耳障りな接触音が全く発生しない。
【００３３】
更に、図１に示すように、ガイド部１０は、刈払刃９を含む被回動駆動側部１１よりも地面に向かう側に突出する形状であるので、草刈作業中において、ガイド部１０が地面や石、缶等と接触することがあっても、刈払刃９を含む被回動駆動側部１１が地面や石等と接触することを効果的に低減したり防止できる。勿論、図には示さないが、ガイド部１０が、刈払刃９を含む被回動駆動側部１１と同程度に地面に向かう側に突出する形状としてもよい。
【００３４】
そして、図１に示すように、ガイド部１０は、刈払刃９の外周部に設けられている複数の切刃１２、・・・よりも中心方向の内側に配置されているので、ガイド部１０が刈払刃９による草等の刈取りの妨げとならないようにすることができる。
【００３５】
また、図１に示すように、ガイド部１０の下面は、外周部１０ｂが中央部（ボス部２０）よりも刈払刃９の下面に接近する形状であるので、ガイド部１０に邪魔されずに、刈払刃９の切刃１２を地面に近づけることができ、比較的大きい刈込み量で草刈作業を行うことができる。そして、ガイド部１０の下面は、中央部（ボス部２０）が外周部１０ｂよりも刈払刃９の下面から遠ざかる形状であるので、ガイド部１０の下面中央部（ボス部２０）を地面に接触させることによって、刈払刃９の切刃１２を地面から遠ざけることができ、切刃１２が地面に接触しないようにできる。
【００３６】
更に、図１に示すように、ガイド部１０の下面の半径方向に沿う輪郭形状が、円弧状であるので、つまり、下方に突出する湾曲形状であるので、例えばガイド部の下面を芝生に接触させて草刈作業をするときに、ガイド部の下面によって芝生等を痛めないように草刈作業をすることができる。
【００３７】
そして、図1に示すように、ガイド部１０は、刈払刃９が装着されている回転軸１３に対して、軸受１９を介して相対的に回動自在に設けられているので、回転軸１３は、軸受１９を介してガイド部１０をしっかりと回動自在に保持できる。よって、ガイド部１０と刈払刃９とを互いに接近させて設けることができて、両者が互いに接触することを確実に防止することができる。このように、ガイド部１０と刈払刃９とを互いに接近して設けることによって、両者の隙間から刈り取られた草、砂、ゴミ等がガイド部１０内に進入することを防止できる。
【００３８】
次に、本発明に係る刈払機の第２実施形態を図５を参照して説明する。この図５に示す第２実施形態の刈払機３０と、図１に示す第１実施形態の刈払機８とが相違するところは、第１実施形態の刈払機８は、図１に示すように、ボス部２０の短円筒部２０ａの下端と、内側ケース１５に形成されている円環状の突起１５ａの下端との間に環状の開口部３１が形成されており、この開口部３１から軸受１９の下面が地面側に向かって露出しているのに対して、第２実施形態の刈払機３０は、図５に示すように、この開口部３１が内側ケース１５に設けられている円環状の被覆部３２によって被覆されているところである。これ以外は、第１実施形態の刈払機８と同等であり、同等部分は同一の図面符号で示し、それらの詳細な説明を省略する。
【００３９】
この図５に示す第２実施形態の刈払機３０によると、内側ケース１５の被覆部３２によって、軸受１９の地面に向かう側の面を覆っているので、軸受１９にゴミや砂等が進入することを防止でき、ゴミ等の進入による軸受１９の故障を防止できる。
【００４０】
次に、本発明に係る刈払機の第３実施形態を図６を参照して説明する。この図６に示す第３実施形態の刈払機３５と、図５に示す第２実施形態の刈払機３０とが相違するところは、ガイド部１０、３６の形状が相違するところである。つまり、図６に示す第３実施形態のガイド部３６は、図５に示す第２実施形態のガイド部１０において、ガイド本体部１０ａを削除して、ボス部２０が残された形状となっている。これ以外は、第２実施形態の刈払機３０と同等であり、同等部分は同一の図面符号で示し、それらの詳細な説明を省略する。
【００４１】
この図６に示す第３実施形態の刈払機３５によると、ガイド本体部１０ａを削除したことによって、刈払機３５の軽量化を図ることができ、作業労力を軽減できる。
【００４２】
次に、本発明に係る刈払機の第４実施形態を図７を参照して説明する。この図７に示す第４実施形態の刈払機３８と、図１に示す第１実施形態の刈払機８とが相違するところは、第１実施形態の刈払機８は、図１に示すように、回転軸１３に内側ケース１５及び押付け部材５６をボルト１６で締結し、この内側ケース１５の環状突起１５ａの外周面に軸受１９を介してガイド部１０を回動自在に設けた構成としたのに対して、第４実施形態の刈払機３８は、図７に示すように、回転軸３９を短管状に形成し、この回転軸３９の内孔に軸形状の取付部材４０を挿通し、この取付部材４０の上端をギヤケース１８にボルト４１で締結したところ、及びこの取付部材４０の下端に、スラスト軸受５７を介してガイド部４２をボルト４３で締結すると共に、回転軸３９の下端にナット４４を螺合して、このナット４４によって締付部材（内側ケース１５と対応するもの）４５と挟持部材１４との間に刈払刃９を挟み込んで、これら刈払刃９、締付部材４５及び挟持部材１４を回転軸３９に締め付けて固定したところである。なお、この第４実施形態のガイド部４２は、図７に示すように、取付部材４０を介してハンドルシャフト１７に固定して取り付けられている。
【００４３】
この図７に示す第４実施形態の刈払機３８によると、ガイド部４２を、回転軸３９の内孔に挿通された取付部材４０に対して、スラスト軸受５７を介して回動自在に取り付ける構成としてあるので、第１実施形態等のように、ガイド部４２を回転軸３９よりも直径の大きいラジアル軸受を介して、この回転軸３９に対して回動自在に取り付ける必要がなく、軸受の費用を第１実施形態等よりも低減することができる。
【００４４】
なお、図７に示すように、回転動力伝達部４８は、回転駆動部（図示せず）の出力回転軸と連結する動力伝達軸４９を備えている。この動力伝達軸４９は、その端部に第１傘歯車５０が設けられており、この第１傘歯車５０には第２傘歯車５１が噛み合っている。この第２傘歯車５１は、回転軸３９の上端部に設けられている。なお、回転駆動部は、例えばハンドルシャフト１７の一端に設けられている。動力伝達軸４９は、ハンドルシャフト１７の内孔内に回動自在に軸受５２を介して設けられており、回転軸３９は、ギヤケース１８内に回動自在に軸受５３を介して設けられている。そして、取付部材４０の下端部と、回転軸３９の下端部との間には、軸受（ニードル軸受）５４が装着されている。
【００４５】
これ以外は、第１実施形態の刈払機８と同等であり、同等部分は同一の図面符号で示し、それらの詳細な説明を省略する。
【００４６】
ただし、第１〜第３の各実施形態では、図1等に示すように、ガイド部１０が被回動駆動側部１１に含まれる内側ケース１５よも地面側に突出する構成としたが、これに代えて、ガイド部１０がこの内側ケース１５と地面側に同程度に突出する構成としてもよい。このように構成しても、作業者は、ガイド部１０、３６を地面に接触させて、ハンドルシャフト１７の先端部に設けられている刈払刃９を左右に滑らかに揺動させて草刈作業ができる。
【００４７】
そして、第１及び第２実施形態では、図1等に示すように、ガイド部１０に設けられているガイド本体部１０ａを、地面側に突出する皿状に湾曲した形状としたが、これ以外の形状としてもよい。例えばガイド本体部の形状を、刈払刃９の下面と平行する円板状に形成し、このガイド本体部を刈払刃９の下面と接近させて配置してもよい。このようにしても、草刈作業中に、刈払刃９を含む被回動駆動側部１１によって、作業場所にある小石、缶、ビン等を跳ね飛ばすことを低減できる。
【００４８】
また、第１〜第４の各実施形態では、図１等に示すように、ガイド部１０、・・・は、刈払刃９の外周縁部９ａに設けられている複数の切刃１２、・・・よりも中心方向の内側に配置した構成としたが、これに代えて、図には示さないが、ガイド部１０、・・・の外周部１０ｂが刈払刃９の外周縁部９ａよりも半径方向の外側に突出する形状としてもよい。ガイド部１０、・・・をこのように形成したときは、ガイド部１０等の外周部１０ｂに複数の凸部及び凹部を設ける。そして、各凹部を、刈払刃９に設けられている複数の各切刃１２、・・・がその内側に配置される深さに形成する。
【００４９】
ガイド部１０、・・・をこのような構成とすることによって、草や芝等を、ガイド部１０、・・・の外周部１０ｂに設けられている複数の凹部に入り込ませて、それら草等を刈払刃９で刈り取ることができる。
【００５０】
更に、第１〜第３実施形態では、図１、図５及び図６に示すように、内側ケース１５、ボルト１６及び回転軸（被回動駆動側部１１）１３が地面側に露出する構成としたが、ガイド部１０の下面中央に、被回動駆動側部１１と接触しないように蓋部材（図示せず）を着脱可能に取り付けて、この蓋部材でガイド部１０、３６の中央開口部１０ｄを覆う構成としてもよい。このように、蓋部材で内側ケース１５、ボルト１６及び回転軸（被回動駆動側部１１）１３を覆うことによって、内側ケース１５等が地面等に接触することを確実に防止できる。
【００５１】
そして、第１〜第４の各実施形態では、刈払刃９をエンジンで回転駆動したが、これに代えて、電気モータで回転駆動してもよい。
【産業上の利用可能性】
【００５２】
以上のように、本発明に係る刈払機用ガイド部の取付構造及びそれを備える刈払機は、例えば草刈作業中に刈払刃を含む被回動駆動側部が作業場所にある小石や缶等を跳ね飛ばすこと、及び地面や石等との接触による衝撃や耳障りな接触音が発生することを低減することができると共に、ガイド部を地面に接触させることによって、刈払刃を左右に滑らかに揺動させて草刈作業ができるようにする優れた効果を有し、このような刈払機用ガイド部の取付構造及びそれを備える刈払機に適用するのに適している。
【図面の簡単な説明】
【００５３】
【図１】この発明の第１実施形態に係る刈払機に適用された刈払機用ガイド部の取付構造を示す部分断面正面図である。
【図２】同第１実施形態に係る刈払機を示す部分正面図である。
【図３】同第１実施形態に係る刈払機を示す部分平面図である。
【図４】同第１実施形態のガイド部を示す図であり、（ａ）は平面図、（ｂ）は縦断面図、（ｃ）は底面図である。
【図５】同発明の第２実施形態に係る刈払機に適用された刈払機用ガイド部の取付構造を示す部分断面正面図である。
【図６】同発明の第３実施形態に係る刈払機に適用された刈払機用ガイド部の取付構造を示す部分断面正面図である。
【図７】同発明の第４実施形態に係る刈払機に適用された刈払機用ガイド部の取付構造を示す部分断面正面図である。
【図８】従来の刈払機を示す一部切欠き部分平面図である。
【図９】同従来の刈払機を示す部分拡大断面図である。
【符号の説明】
【００５４】
８、３０、３５、３８  刈払機
９  刈払刃
９ａ  外周縁部
９ｂ  凸部
９ｃ  凹部
９ｄ  挿通孔
１０、３６、４２  ガイド部
１０ａ  ガイド本体部
１０ｂ  外周部
１０ｃ  リブ
１０ｄ  中央開口部
１１  被回動駆動側部
１２  切刃
１３、３９  回転軸
１４  挟持部材
１４ａ  雌ねじ
１５  内側ケース
１５ａ  突起
１６、４１、４３  ボルト
１７  ハンドルシャフト
１８  ギヤケース
１９、５２、５３、５４、５７  軸受
２０  ボス部
２０ａ  短円筒部
２０ｂ  係合突起
３１  開口部
３２  被覆部
４０  取付部材
４４  ナット
４５  締付部材
４８  回転動力伝達部
４９  動力伝達軸
５０  第１傘歯車
５１  第２傘歯車
５６  押付け部材
【図１】
2008182964.tif 000003
【図２】
2008182964.tif 000004
【図３】
2008182964.tif 000005
【図４】
2008182964.tif 000006
【図５】
2008182964.tif 000007
【図６】
2008182964.tif 000008
【図７】
2008182964.tif 000009
【図８】
2008182964.tif 000010
【図９】
2008182964.tif 000011